(57)【要約】【課題】新たなファイル化規格やファイル化規格のアップデートに対応できるとともに、同一のファイル化規格においても、柔軟な設定に変更に対応でき、様々な再生装置で再生可能なファイル化画像データを格納する。【解決手段】入力された映像データをファイル化処理するファイル化処理部と、ファイル化された映像信号を格納するファイル化映像データを格納する格納手段とを備える録画装置であって、ファイル化処理部は、映像データを所定の形式でファイル化する複数のファイル化プログラムを格納する手段と、複数種のファイル化プログラムを指定する手段と、指定されたプログラムを同時に実行して入力された映像データを複数種のファイル化映像データを作成する手段とを備え、ファイル化映像データ格納部は、ファイル化実行部がファイル化した同一の映像データについての複数種のファイル化映像データを格納する。【選択図】図１
2020078028.tif 000002
【特許請求の範囲】
【請求項１】
入力された元映像データをファイル化処置するファイル化処理部と、ファイル化されたファイル化映像データを格納するファイル化映像データ格納部とを備える録画装置であって、
前記ファイル化処理部は、
前記元映像データを所定の形式でファイル化する複数のファイル化プログラムを格納する手段と、
前記複数のファイル化プログラムを指定する手段と、
指定されたプログラムを同時に実行して入力された前記元映像データを複数種のファイル化映像データを作成する手段と、を備え、
前記ファイル化映像データ格納部は、
前記ファイル化処理部がファイル化した同一の前記元映像データについての複数種のファイル化映像データを格納することを特徴とする録画装置。
【請求項２】
前記ファイル化処理部で実行されるファイル化プログラムのファイル化の処理設定を行う手段を備えることを特徴とする請求項１に記載の録画装置。
【請求項３】
前記ファイル化プログラムは、映像コーデックと音声コーデックを行うものであり、プログラム実行部で実行されるファイル化に使用する映像コーデック及び音声コーデックの方式を指定する手段を備えることを特徴とする請求項１に記載の録画装置。
【請求項４】
前記複数のファイル化プログラムのうち指定されたものを書き換えて、前記ファイル化プログラムの変更又は更新を行う手段を備えることを特徴とする請求項１に記載の録画装置。
【請求項５】
前記複数のファイル化プログラムのうち指定されたものの削除、及び新たなファイル化プログラムの追加の少なくとも一方を行う手段を備えることを特徴とする請求項１に記載の録画装置。
【請求項６】
チューナー部を備え、前記チューナー部から前記元映像データを入力することを特徴とする請求項１に記載の録画装置。
【請求項７】
記録媒体を取付け取り外し可能に配置する記録媒体設置部を備え、
各種のファイル化形式のファイル化映像データから指定のファイル化映像データを前記記録媒体設置部に配置された記録媒体に格納する手段を備えることを特徴とする請求項１に記載の録画装置。
【発明の詳細な説明】
【技術分野】
【０００１】
本発明は、映像データをファイル化して格納する録画装置に関する。
【背景技術】
【０００２】
現在、動画データのファイル化規格として多数のものが存在している。これらのファイル化規格は、それぞれ特徴や使用用途が異なり、動画の目的や再生装置により使い分けられている。再生装置では、このファイル化された映像データを復号（伸張）する手段を備え、伸張した画像データを再生する。このため、再生装置によってはファイル化された映像データを復号できず映像を再生できない場合がある。
【０００３】
このため、テレビ放送をファイル化して録画した場合、録画されたファイル化映像データをそのままスマートフォンやタブレットに格納したとしても映像を再生することができないことがある。この場合には、録画した画像データをパーソナルコンピュータやスマートフォン等で再生可能な形式にファイル化する必要があり手間と時間がかかる。このような不具合を解消するため、以下の提案がなされている。
【０００４】
特許文献１には、ＭＰＥＧ２、ＭＰＥＧ４などの異なる符号化形式の符号化処理を、高速に処理を行い、同時出力することを目的とし、所定のデータについて複数の異なる符号化形式に対応した複数の符号化処理を行うマルチフォーマット符号化器において、前記複数の異なる符号化形式での符号化処理を行う符号化処理回路と、前記符号化処理回路による複数の符号化処理において、前記所定のデータの取り込みにおける所定の単位時間を分割し、その分割された時間の各々に前記複数の符号化形式に対応した符号化処理の各々を割り当てるように前記符号化処理回路を制御する制御手段とを備えたマルチフォーマット符号化器と、このマルチフォーマット符号化器の符号化処理回路によって符号化処理された複数の異なる符号化形式に対応する複数のストリームデータを記録する少なくとも1つの記録媒体とを備えた記録システムが提案されている。
【先行技術文献】
【特許文献】
【０００５】
【特許文献１】特開２００５-７９６２１公報
【発明の概要】
【発明が解決しようとする課題】
【０００６】
近年動画のファイル化規格（方式）は多岐にわたっている。ここで、ファイル化処理における処理には必要な符号化（デジタル化）、及び所定のコーデックに基づく圧縮処理、所定の規格に基づくファイル化処置が含まれる。そして、図５（a）に示すように、一般に動画ファイルは、映像データを圧縮した映像コーデックと、音声データを圧縮した音声コーデックとを含んでいる。そして、図５（ｂ）に示すように、同一のファイル化形式であっても、映像コーデック及び音声コーデックは種々選択されている。これらの選択はファイル化の目的や再生装置により選択される。
【０００７】
また、データの転送速度（ビットレート）は、記録媒体や再生装置によって転送速度を低く抑える必要がある。更に、転送速度を動画の動きによらず一定とすることや、画質重視、音声重視等を目的として様々に設定することができる。
【０００８】
また、技術開発により更に高圧縮率のファイル化形式が新たに提案される他、古いファイル化形式は使用されなくなる。録画装置はこれらに対応することが望ましい。
【０００９】
しかし、特許文献１に係る記録システムは、ファイル化器をＬＳＤ等のハードウエアで実現するものである。このため、ファイル化規格のアップデートに追従することや、新たなファイル化規格を採用することができない。また、同一のファイル化規格においても、柔軟な設定の変更に対応できないという問題がある。
【００１０】
本発明は上述した課題に鑑みてなされたものであり、新たなファイル化規格やファイル化規格のアップデートに対応できるとともに、同一のファイル化規格においても、柔軟な設定に変更に対応でき、様々な再生装置で再生可能なファイル化画像データを格納しておくことができる録画装置を提供することを目的とする。
【課題を解決するための手段】
【００１１】
前記課題を解決する請求項１に記載の発明は、入力された元映像データをファイル化処理するファイル化処理部と、ファイル化されたファイル化映像データを格納するファイル化映像データ格納部とを備える録画装置であって、前記ファイル化処理部は、前記元映像データを所定の形式でファイル化する複数のファイル化プログラムを格納する手段と、前記複数のファイル化プログラムを指定する手段と、指定されたプログラムを同時に実行して入力された前記元映像データを複数種のファイル化映像データを作成する手段と、を備え、前記ファイル化映像データ格納部は、前記ファイル化処理部がファイル化した同一の前記元映像データについての複数種のファイル化映像データを格納することを特徴とする録画装置である。
【００１２】
本発明によれば、ファイル化は、指定されたファイル化プログラム、即ちソフトソフトウェアに基づいて入力された元映像データがファイル化され、ファイル化映像データ格納部には各ファイル化規格に対応して複数種のファイル化映像データが格納される。このため、必要とするファイル化規格に基づいてファイル化されたファイル化映像データを格納し利用することができる。
【００１３】
同じく請求項２に記載の発明は、請求項１に記載の録画装置において、前記ファイル化処理部で実行されるファイル化プログラムのファイル化の処理設定を行う手段を備えることを特徴とする。
【００１４】
本発明によれば、ファイル化実行部によってファイル化するに際してはファイル化に際して使用する映像コーデック、音声コーデックを指定する他、圧縮率等のパラメータを設定できる。
よって、再生する機器が再生するのに最適なファイル化規格で元映像データをファイル化できる。
【００１５】
同じく請求項３に記載の発明は、請求項１に記載の録画装置において、前記ファイル化プログラムは、映像コーデックと音声コーデックを行うものであり、プログラム実行部で実行されるファイル化に使用する映像コーデック及び音声コーデックの方式を指定する手段を備えることを特徴とする。
【００１６】
本発明によれば、ファイル化プログラムにおけるプログラム実行部で実行されるファイル化に使用する映像コーデック及び音声コーデックの方式を指定できる。よって、様々な形式のファイル化規格における映像コーデックと音声コーデックの組み合わせに対応することができ、様々なファイル化規格に対応した再生装置で再生可能なファイル化映像データを生成して格納できる。
【００１７】
同じく請求項４に記載の発明は、請求項１に記載の録画装置において、前記複数のファイル化プログラムのうち指定されたものを書き換えて、前記ファイル化プログラムの変更又は更新を行う手段を備えることを特徴とする。
【００１８】
本発明によれば、ファイル化プログラムのうち指定されたものは書き換えられて更新又は変更される。これにより、ファイル化プログラムを新規のものや既存のものを追加することができ、常に最適ファイル化でき、時代の変化に伴う技術革新に対応できる。
【００１９】
同じく請求項５に記載の発明は、請求項１に記載の録画装置において、前記複数のファイル化プログラムのうち指定されたものの削除、及び新たなファイル化プログラムの追加の少なくとも一方を行う手段を備えることを特徴とする。
【００２０】
本発明によれば、ファイル化プログラム格納部に格納された複数のファイル化プログラムのうち指定されたものの削除、新たなファイル化プログラムの追加を行う。よって、不要なファイル化プログラムを削除してファイル化プログラム格納部の容量を増やす他、新たなファイル化プログラムを追加して最新の機能を発揮できるものとできる。
【００２１】
同じく請求項６に記載の発明は、請求項１に記載の録画装置において、チューナー部を備え、前記チューナー部から前記元映像データを入力することを特徴とする。
【００２２】
本発明によれば、チューナー部でテレビ放送電波を受信して元映像データを取得できる。よって、テレビ局から放送された番組を所望のファイル化規格でファイル化してファイル化映像データとでき、このファイル化映像データを所望の再生装置で再生できる。
【００２３】
同じく請求項７に記載の発明は、記録媒体を取付け取り外し可能に配置する記録媒体設置部を備え、各種のファイル化形式のファイル化映像データから指定のファイル化映像データを前記記録媒体設置部に配置された記録媒体に格納する手段を備えることを特徴とする。
【００２４】
本発明によれば、所望のファイル化規格のファイル化映像データを記録媒体、例えば各種光ディスク、半導体メモリやメモリカードに格納できる。よって、ファイル化映像データを格納した記録媒体を再生装置で再生することができ、さまざまな再生装置で映像を再生できる。
【発明の効果】
【００２５】
本発明に係る録画装置によれば、新たなファイル化規格やファイル化規格のアップデートに対応できるとともに、同一のファイル化規格においても、柔軟な設定に変更に対応でき、様々な再生装置で再生可能なファイル化画像データを格納でき、このファイル化映像データを再生可能な様々な再生装置で映像を再生できる。
【００２６】
請求項１に記載の録画装置によれば、ファイル化は、指定されたファイル化プログラムに基づいて入力された元映像データがファイル化され、ファイル化映像データ格納部には各ファイル化規格に対応して複数種のファイル化映像データが格納される。このため、必要とするファイル化規格に基づいてファイル化されたファイル化映像データを格納し利用することができる。
【００２７】
請求項２に記載の録画装置によれば、ファイル化実行部によってファイル化するに際してはファイル化に際して使用する映像コーデック、音声コーデックを指定する他、圧縮率等のパラメータを設定できる。よって、再生する機器が再生するのに最適なファイル化規格で元映像データをファイル化できる。
【００２８】
請求項３に記載の録画装置によれば、ファイル化プログラムにおけるプログラム実行部で実行されるファイル化に使用する映像コーデック及び音声コーデックの方式を指定でくる。よって、様々な形式のファイル化規格における映像コーデックと音声コーデックの組み合わせに対応することができ、様々なファイル化規格に対応した再生装置で再生可能なファイル化映像データを生成して格納できる。
【００２９】
請求項４に記載の録画装置によれば、ファイル化プログラムのうち指定されたものは書き換えられて更新又は変更される。これにより、ファイル化プログラムは最新のものとすることができ、常に最適なファイル化ができる。
【００３０】
請求項５に記載の録画装置によれば、ファイル化プログラム格納部に格納された複数のファイル化プログラムのうち指定されたものの削除、新たなファイル化プログラムの追加を行う。よって、不要なファイル化プログラムを削除してファイル化プログラム格納部の容量を増す他、新たなファイル化プログラムを追加して最新の機能を発揮できるものとできる。
【００３１】
請求項６に記載の録画装置によれば、チューナー部でテレビ放送電波を受信して映像データを取得できる。よって、テレビ局から放送された番組を所望のファイル化規格でファイル化してファイル化映像データとでき、このファイル化映像データを所望の再生装置で再生できる。
【００３２】
請求項７に記載の録画装置によれば、所望のファイル化規格のファイル化映像データを記録媒体、例えば各種光ディスク、半導体メモリやメモリカードに格納できる。よって、ファイル化映像データを格納した記録媒体を再生装置で再生することができ、さまざまな再生装置で映像を再生できる。
【図面の簡単な説明】
【００３３】
【図１】本発明の実施形態に係る録画装置の機能構成を示すブロック図である。
【図２】同録画装置を実現するコンピュータの構成を示すブロック図である。
【図３】同録画装置における処理を示す模式図である。
【図４】同録画装置におけるファイル化処理の手順を示すフローチャートである。
【図５】同録画装置の処理を示すものであり、（ａ）はファイル化プログラムの追加処理を示すフローチャート、（ｂ）はファイル化プログラムの削除処理を示すフローチャート、（ｃ）はファイル化プログラムの更新変更処理を示すフローチャートである。
【図６】映像データのファイル化形式を示すものであり、（ａ）はファイル化映像データの構成を示す模式図、（ｂ）は映像データのファイル化形式と映像コーデック及び音声コーデックの組み合わせを示す表である。
【発明を実施するための形態】
【００３４】
本発明を実施するための形態に係る録画装置を図面に基づいて説明する。図１は本発明の実施形態に係る録画装置の機能構成を示すブロック図である。
【００３５】
本実施形態に係る録画装置１００は、放送局から放送されたテレビ番組を受信して元映像データとし、予め定めた複数種のファイル化規格でファイル化して、複数のファイル化映像データを生成して格納するものである。本明細書において、ファイル化前の映像データを「元映像データ」、ファイル化後の映像データを「ファイル化映像データ」と称する。
【００３６】
そして、再生装置が利用できるファイル化規格のファイル化映像データを各種の記録媒体１６０に格納し、この記録媒体を再生装置４００に設置して映像を再生する。なお、録画装置１００に映像信号を直接入力してファイル化することができる。再生装置４００としては、コンピュータ、スマートフォン、タブレット型コンピュータ、光ディスクプレーヤー、ゲーム機器その他の装置を含む。
【００３７】
図１に示すように、録画装置１００は、チューナー部１１０、画像データ入力部１１１、ファイル化処理部１２０、ファイル化映像データ格納部１４０、データ出力書込部１５０、及び制御部１７０を備える。データ出力書込部１５０には、記録媒体１６０として、光ディスク１６１、ＵＳＢフラッシュメモリ１６２、メモリカード１６３を設置して、ファイル化画像データをこれらの記録媒体１６０に格納する。
【００３８】
チューナー部１１０は、テレビ局からの電波信号やケーブルテレビからの放送信号を受信して元画像データを取得する。チューナー部１１０では、所定の方式（例えばＭＰＥＧ２、ＭＰ４）でファイル化されているファイル化映像データを映像データと音声データに伸張して元画像データとしてファイル化処理部１２０に送出する。
【００３９】
なお、チューナー部１１０には、暗号化されたテレビ放送、例えば有料放送のデコード処理を行うための暗号鍵データを収納するカード（例えばＢ-ＣＡＳ（登録商標）カード）が格納される。また、録画装置１００は「ダビング１０」等の著作権保護のためのコピーガード処理が適用されている。
【００４０】
画像データ入力部１１１からは再生装置、例えば再生機能を有するカメラ、ビデオプレーヤー等から画像データがファイル化処理部１２０に入力される。この画像データのファイル形式は様々である。
【００４１】
ファイル化処理部１２０は、ファイル化プログラム格納部１２１と、ファイル化プログラム指定部１２２と、ファイル化プログラム設定制御部１２３と、ファイル化実行部１２４とを備える。
【００４２】
ファイル化プログラム格納部１２１には、複数のファイル化プログラム１３１〜１３ｎが格納されている。ファイル化プログラム１３１〜１３ｎは予め選択されてファイル化プログラム格納部１２１に格納されている。このファイル化プログラムの書き換え、追加等はファイル化プログラム設定制御部１２３で行うことができる。ファイル化プログラム１３１〜１３ｎとして、映像データ及び音声データを、図６（ｂ）に示す各種ファイル形式に変換する各種のプログラムを挙げることができる。
【００４３】
ファイル化プログラムは、符号化（必要であれば）、圧縮処理、及びファイル化処理を行う。各ファイル化プログラムは、規格に基づいて映像データ及び音声データーを処理できる。
【００４４】
ファイル化プログラム指定部１２２は、ファイル化に使用するプログラムを指定する。例えば、「ＡＶＩ」、「ＭＰ４」、「ＭＯＶ」、「ＪＰＧ２−ＴＳ」、「ＪＰＧ２−ＰＳ」等から適宜選択することができる。この指定は、制御部１７０を介して入力部１８０であるキーボード、マウス、表示部１９０であるモニターを使用して行う。映像を再生する再生機器が採用するファイル化規格を選定する必要がある。
【００４５】
ファイル化プログラム設定制御部１２３は、ファイル化実行部１２４がファイル化に際して使用するファイル化プログラムの処理設定、即ち映像コーデック、音声コーデックを指定する他、圧縮率、転送速度等のパラメータを設定する。これにより、様々な形式のファイル化規格における映像コーデックと音声コーデックの組み合わせに対応することができ、様々なファイル化規格に対応した再生装置で再生可能なファイル化映像データを生成して格納できる。
【００４６】
また、ファイル化プログラム設定制御部１２３は、ファイル化プログラム格納部１２１に格納された複数のファイル化プログラムのうち指定されたものを書き換えて、ファイル化プログラムの変更又は更新を行う。これにより、ファイル化プログラムのうち指定されたものは書き換えられて更新又は変更される。これにより、ファイル化プログラムは最新のものとすることができ、常に最適なファイル化ができる。
【００４７】
更に、ファイル化プログラム設定制御部１２３は、ファイル化プログラム格納部１２１に格納された複数のファイル化プログラムのうち指定されたものを削除、及び新たなファイル化プログラムの追加を行う。これにより、不要なファイル化プログラムを削除してファイル化プログラム格納部の容量を増やす他、新たなファイル化プログラムを追加して最新の機能を発揮できるものとできる。即ち、技術進歩により新たに開発、規格化された高性能なファイル形式に対応したファイル化プログラムを追加することで、常に最新の再生機器に対応した映像ファイルを生成できる。
【００４８】
ファイル化実行部１２４は、プログラム実行部をなし、入力された元映像データの映像データ及び音声データを指定されたファイル化プログラムによってファイル化し、ファイル化規格が異なる複数のファイル化映像データを生成する。
【００４９】
ファイル化映像データ格納部１４０は、ファイル化処理部１２０が生成した、同一の元画像データについてのファイル化規格が異なる複数のファイル化映像データを格納する。
【００５０】
データ出力書込部１５０は、記録媒体設置部を構成し、記録媒体１６０を取付け取り外し可能に配置できる。データ出力書込部１５０は、ファイル化映像データ格納部１４０が格納したファイル化画像データのうち指定されたファイル化規格のファイル化画像データを出力する。また、設置された記録媒体１６０、例えば光ディスク１６１、ＵＳＢフラッシュメモリ１６２、メモリカード１６３に記録する。
【００５１】
データ出力書込部１５０から出力された指定のファイル化映像データは再生装置４００に直接入力され、再生装置４００で所定の伸張処理がなされて映像と音声が再生される。
【００５２】
また、ファイル化映像データが格納された記録媒体１６０（光ディスク１６１、ＵＳＢフラッシュメモリ１６２、メモリカード１６３）は、当該記録媒体１６０を再生可能な再生装置４００に設置され、再生装置４００で所定の伸張処理がなされて映像と音声が再生される。
【００５３】
録画装置１００の各構成部及び手段は、コンピュータ２００に所定のプログラムを実行させることにより実現することができる。図２は同録画装置を実現するコンピュータの構成を示すブロック図である。コンピュータ２００は、ＣＰＵ（Central Processing Unit）２１０、ＧＰＵ（Graphics  Processing Unit）２２０、主記憶装置であるＲＯＭ（Read Only Memory）２３０、ＲＡＭ（Random Access Memory）２４０、補助記憶装置であるＳＳＤ（Solid  State Drive）２５０、ＨＤＤ（Hard Disc Drive）２６０を備える。
【００５４】
ＧＰＵ２２０は、リアルタイム画像処理に特化した演算素子であり、高速に映像データをファイル化することができる。近年、ＣＰＵの高速化とＧＰＵの高性能化低価格化により録画装置１００として使用可能な能力を有する高機能なコンピュータ２００を簡単かつ安価に作成できる。
【００５５】
また、コンピュータ２００は、データ出力書込部１５０として光ディスクドライブ２６０、ＵＳＢインターフェース２７０、メモリーカードスロット２８０、及び通信制御部２９０を備える。更に、コンピュータ２００は、上述したチューナー部１１０、入力部１８０、表示部１９０を備える。
【００５６】
コンピュータ２００では、ファイル化処理部１２０を、ＣＰＵ２１０でファイル化プログラムを実行して入力された映像データを所定のファイル化規格に準拠する映像データと音声データで個別にファイル化処理することにより実現する。制御プログラムや必要なファイル化プログラムは補助記憶装置に格納されている。ＣＰＵ２１０は、ＧＰＵ２２０は、ファイル化実行部１２４として機能し主記憶部にデータを展開しつつ複数種のファイル化映像データを生成する。
【００５７】
ファイル化プログラム指定部１２２及びファイル化プログラム設定制御部１２３は、ＣＰＵ２１０が制御プログラムを実行することにより実現する。
【００５８】
光ディスクドライブ２６０は、ＣＤ（コンパクトディスク：Compact Disc）、ＤＶＤ（Digital Versatile Disc）、ＢＤ（ブルーレイディスク：Blu-ray(登録商標) Disc）等を設置してこれらにファイル化映像データを書き込むことができる。また、ＵＳＢインターフェース２７０は、ＵＳＢフラッシュメモリを設置してこれらにファイル化映像データを書き込むことができる。メモリーカードスロット２８０には、各サイズのＳＤメモリカード、その他のメモリカードを挿入してこれらにファイル化映像データを書き込むことができる。
【００５９】
通信制御部２９０は、他の装置やインターネットへの接続処理を行う。例えば、再生装置４００に直接ファイル化映像データを送出する処理、新たなファイル化プログラムの取得、既存のファイル化プログラムのアップデートデータの取得処理を制御する。
【００６０】
次に録画装置１００の基本動作について説明する。図３は同録画装置における映像データの処理を示す模式図、図４は同録画装置における映像データのファイル化処理の手順を示すフローチャートである。
【００６１】
ここでは、図３に示すように、ファイル化処理部１２０には、ファイル化プログラムとして「ＡＶＩ」、「ＭＰ４」、「ＭＯＶ」、「ＪＰＧ２−ＴＳ」、「ＪＰＧ２−ＰＳ」に基づいてのファイル化プログラム３４１〜３４５を実行できる状態に設定されている。
【００６２】
この状態で、ファイル化プログラム指定部１２２によってファイル化実行部１２４でファイル化処理を行うファイル化規格を指定する。これにより、ファイル化に使用するファイル化プログラムが選定される（ステップＳ１）。
【００６３】
そして、チューナー部１１０から画像データが入力されると（ステップＳ２）、ファイル化処理部１２０のファイル化実行部１２４はファイル化プログラム指定部１２２で選択されたファイル化プログラムをファイル化プログラム格納部１２１から読取り、映像データと音声データとを各ファイル化プログラムを実行することによりそれぞれファイル化する（ステップＳ３）。そして、これらの両データを合わせたファイル化映像データはファイル化映像データ格納部１４０に格納される（ステップＳ４）。
【００６４】
図３に示した例では、ファイル化処理部１２０において、４種類のファイル化規格、即ち「ＡＶＩ」、「ＭＰ４」、「ＭＯＶ」、「ＪＰＧ２−ＴＳ」、「ＪＰＧ２−ＰＳ」のファイル化プログラム３４１〜３４５によってファイル化され、ファイル化映像データ格納部１４０に４種類のファイル化映像データ、即ち「ＡＶＩデータ」、「ＭＰ４データ」、「ＭＯＶデータ」、「ＪＰＧ２−ＴＳデータ」、「ＪＰＧ２−ＰＳデータ」のファイル化映像データ３５１〜３５５が格納されている。
【００６５】
そして、データ出力書込部１５０に配置した記録媒体１６０、例えば光ディスク１６１、ＵＳＢフラッシュメモリ１６２、メモリカード１６３に指定されたファイル化映像データが格納される（ステップＳ５）。更に制御部１７０から取り出された記録媒体１６０は、再生装置４００に配置されて、記録媒体１６０に格納されたファイル化映像データが復号され、再生される（ステップＳ６）。
【００６６】
次に、ファイル化プログラムの追加、削除、更新変更の各処理について説明する。図５は同録画装置の処理を示すものであり、（ａ）はファイル化プログラムの追加処理を示すフローチャート、（ｂ）はファイル化プログラムの削除処理を示すフローチャート、（ｃ）はファイル化プログラムの更新変更処理を示すフローチャートである。
【００６７】
ファイル化プログラムの追加処理は、図５（ａ）に示すように、ます、追加するファイル化プログラムを入手する（ステップＳＡ１）。ファイル化プログラムが格納された光ディスクやＵＳＢフラッシュメモリを入手することの他、通信制御部２９０を経由してインターネット上の供給サイトからファイル化プログラムをダウンロードすることによる。
【００６８】
そして、このファイル化プログラムをコンピュータ２００にインストールしてファイル化プログラム格納部１２１に格納する（ステップＳＡ２）。
【００６９】
ファイル化プログラムの削除処理は、図５（ｂ）に示すように、ます、削除するファイル化プログラムを選定する（ステップＳＢ１）。
【００７０】
そして、このファイル化プログラムをコンピュータ２００にからアンインストールしてファイル化プログラム格納部１２１から削除する（ステップＳＢ２）。
【００７１】
ファイル化プログラムの更新変更処理は、図５（ｃ）に示すように、ます、更新変更するファイル化プログラムを設定する（ステップＳＣ１）。更に、当該ファイル化プログラムの更新・変更データを入手する（ステップＳＣ２）。更新・変更データが格納された光ディスクやＵＳＢフラッシュメモリを入手することの他、通信制御部２９０を経由してインターネット上の供給サイトから更新変更データをダウンロードすることによる。
【００７２】
そして、この更新変更データをコンピュータ２００に適用してファイル化プログラム格納部１２１の各ファイル化プログラムを更新・変更する（ステップＳＣ３）。
【産業上の利用可能性】
【００７３】
本発明に係る録画装置は、所望のファイル化規格のファイル化映像データを記録媒体、例えば各種光ディスク、半導体メモリやメモリカードに格納でき、ファイル化映像データを格納した記録媒体を様々な再生装置で再生できるものであり、産業上の利用が可能である。
【符号の説明】
【００７４】
１００：録画装置
１１０：チューナー部
１２０：ファイル化処理部
１２１：ファイル化プログラム格納部
１２２：ファイル化プログラム指定部
１２３：ファイル化プログラム設定制御部
１２４：ファイル化実行部
１３１〜１３ｎ：ファイル化プログラム
１４０：ファイル化映像データ格納部
１５０：データ出力書込部
１６０：記録媒体
１６１：光ディスク
１６２：ＵＳＢフラッシュメモリ
１６３：メモリカード
１７０：制御部
１８０：入力部
１９０：表示部
２００：コンピュータ
２１０：ＣＰＵ
２６０：光ディスクドライブ
２７０：ＵＳＢインターフェース
２８０：メモリーカードスロット
２９０：通信制御部
３４１〜３４５：ファイル化プログラム
３５１〜３５４：ファイル化映像データ
４００：再生装置
【図１】
2020078028.tif 000003
【図２】
2020078028.tif 000004
【図３】
2020078028.tif 000005
【図４】
2020078028.tif 000006
【図５】
2020078028.tif 000007
【図６】
2020078028.tif 000008